(57)【要約】【課題】プラテンローラの紙粉の付着を減少させることが可能なプリンタを提供すること。【解決手段】商品販売データ処理装置１００に用いられるプリンタ１は、ロール紙１２を収納する収納部１３から引き出されて搬送されたロール紙１２を案内する搬送経路１５と、搬送経路１５上に設けられたプラテンローラ３５及び印字ヘッド３６を有する印字装置１６と、印字されたロール紙１２を外部に排出する排出口２４と、排出されるロール紙１２を切断する切断装置１７と、プラテンローラ３５と所定の隙間を有して配置される配置部３３と、配置部３３から排出口２４へ送風し、且つ、排出口２４又は収納部１３の少なくとも一方から配置部３３を介して配置部３３外へ送風するファン４１と、を備える構成とした。【選択図】      図２
2011183625.tif 000002
【特許請求の範囲】
【請求項１】
ロール紙を収納保持する収納部と、
前記収納部から引き出される前記ロール紙を案内する搬送経路と、
前記搬送経路に案内されたロール紙に印字を行う印字ヘッドと、
前記印字ヘッドと対向して設けられるプラテンローラと、
前記印字ヘッドで印字された前記ロール紙排出する排出口と、
前記排出口に設けられた、前記ロール紙を切断する切断装置と、
前記プラテンローラの周面の一部と所定の隙間を有して前記プラテンローラを配置する配置部と、
前記配置部に設けられ、前記配置部を介して前記排出口へ送風するファンと、
を備えることを特徴とするプリンタ。
【請求項２】
ロール紙を収納保持する収納部と、
前記収納部から引き出される前記ロール紙を案内する搬送経路と、
前記搬送経路に案内されたロール紙に印字を行う印字ヘッドと、
前記印字ヘッドと対向して設けられるプラテンローラと、
前記印字ヘッドで印字された前記ロール紙排出する排出口と、
前記排出口に設けられた、前記ロール紙を切断する切断装置と、
前記プラテンローラの周面の一部と所定の隙間を有して前記プラテンローラを配置する配置部と、
前記配置部に設けられ、前記排出口又は前記収納部の少なくとも一方から前記配置部を介して前記配置部外へと送風するファンと、
を備えることを特徴とするプリンタ。
【請求項３】
ロール紙を収納保持する収納部と、
前記収納部から引き出される前記ロール紙を案内する搬送経路と
前記搬送経路に案内されたロール紙に印字を行う印字ヘッドと、
前記印字ヘッドと対向して設けられるプラテンローラと、
前記印字ヘッドで印字された前記ロール紙排出する排出口と、
前記排出口に設けられた、前記ロール紙を切断する切断装置と、
前記プラテンローラの周面の一部と所定の隙間を有して前記プラテンローラを配置する配置部と、
前記配置部に設けられ、前記配置部を介して前記排出口への送風、及び、前記排出口又は前記収納部の少なくとも一方から前記配置部を介して前記配置部外への送風の切換が可能なファンと、
前記ロール紙が前記搬送経路を案内されているときに前記ファンに前記排出口又は前記収納部の少なくとも一方から前記配置部を介して前記配置部外へ送風させるとともに、前記切断装置により前記ロール紙を切断するときに前記ファンに前記配置部を介して前記排出口へ送風させるファン制御部と、
を備えることを特徴とするプリンタ。
【請求項４】
前記ファン制御部は、前記切断装置の駆動前に送風の切換を行うことを特徴とする請求項３に記載のプリンタ。
【請求項５】
前記ファン制御部は、前記切断装置の駆動による前記ロール紙の切断の途中で、前記配置部を介して前記排出口へ送風するように送風の切換を行うことを特徴とする請求項４に記載のプリンタ。
【請求項６】
前記排出口に設けられ、その上面が前記排出口よりも下方に位置する受け皿をさらに備えることを特徴とする請求項１乃至５に記載のプリンタ。
【発明の詳細な説明】
【技術分野】
【０００１】
本発明は、印字ヘッド及びプラテンローラにより印字したロール紙を排出口で切断して排出するプリンタに関する。
【背景技術】
【０００２】
ＰＯＳ（Point of sale）システム等に用いられるＰＯＳ端末や、ＥＣＲ（Electronic Cash Register）等には、商品取引情報等を記号や画像をロール紙に印字したレシートを排出するプリンタが搭載されている。
【０００３】
このようなプリンタは、その内部に収納されたロール紙を搬送装置で引き出し、そのロール紙の引出部位を印字ヘッド及びプラテンローラを用いて印字する。また、プリンタは、印字されたロール紙を切断装置で切断して排出口から外部に排出する。なお、ロール紙を切断する切断装置は、例えば、回動（又は揺動）する可動刃と、固定された固定刃とを有し、これら可動刃及び固定刃か見合わせ、その噛合わせによりロール紙を切断させる。
【０００４】
しかし、ロール紙を切断すると、切断時に、ロール紙の紙粉が発生する。また、ロール紙自体にも、その製造時等に発生した紙粉が付着することがある。このため、プリンタは、これら紙粉が、ロール紙及びプリンタの各構成品に付着する、という問題がある。
【０００５】
なお、ＰＯＳ端末やＥＣＲに用いられるプリンタとは異なり、コンピュータ等の出力装置として、大判のロール紙に画像を形成するプリンタが知られている（例えば特許文献１参照）。このようなプリンタは、切断装置としてカッタ溝をスライドするカッタでロール紙を切断するとともに、切断時に発生しカッタ溝に付着した紙粉を除去可能に形成されている。
【０００６】
このような、特許文献１の技術を用いたプリンタは、大判のロール紙がプラテンから離脱することを防止するために、ロール紙を吸着させる吸着ファンが用いられる。上述した特許文献１の技術では、この吸着ファンを、ロール紙の吸着だけでなく、紙粉の除去にも用いる構成である。即ち、特許文献１の技術を用いたプリンタは、ロール紙の切断時にカッタ溝内に案内された紙粉を吸着ファンで吸引する吸引通路を、カッタ溝に連通させて、カッタ溝の紙粉を吸引する構成である。
【発明の概要】
【発明が解決しようとする課題】
【０００７】
上述したプリンタでは、次のような問題があった。即ち、上述したプリンタは、ロール紙に付着した紙粉や切断装置で発生する紙粉が、プラテンローラに移動すると、紙粉がプラテンローラに付着する虞がある。紙粉がプラテンローラに付着すると、プラテンローラの表面の形状や状態が変化し、プラテンローラが劣化する。プラテンローラが劣化すると、その表面を搬送するロール紙との摩擦抵抗が変化して搬送されたロール紙がすべり、印字時に印字がつぶれる等、印字精度が低下する、という問題がある。
【０００８】
また、ＰＯＳ端末やＥＣＵに用いられるプリンタは、その形状は小さく、また、ロール紙の幅が小さいことから、ロール紙の吸着を行う吸着ファンを有さない。また、切断装置も、カッタを用いる構成ではない。このため、ＰＯＳ端末等に用いるプリンタに、上述した特許文献１の技術である吸着ファン及びカッタ溝に吸引通路を設けることが困難である。
【０００９】
そこで本発明は、プラテンローラの紙粉の付着を減少させることが可能なプリンタを提供することを目的としている。
【課題を解決するための手段】
【００１０】
前記課題を解決し目的を達成するために、本発明のプリンタは次のように構成されている。
【００１１】
本発明の一態様として、ロール紙を収納保持する収納部と、前記収納部から引き出される前記ロール紙を案内する搬送経路と、前記搬送経路に案内されたロール紙に印字を行う印字ヘッドと、前記印字ヘッドと対向して設けられるプラテンローラと、前記印字ヘッドで印字された前記ロール紙排出する排出口と、前記排出口に設けられた、前記ロール紙を切断する切断装置と、前記プラテンローラの周面の一部と所定の隙間を有して前記プラテンローラを配置する配置部と、前記配置部に設けられ、前記配置部を介して前記排出口へ送風するファンと、を備えることを特徴とするプリンタが提供される。
【００１２】
本発明の一態様として、ロール紙を収納保持する収納部と、前記収納部から引き出される前記ロール紙を案内する搬送経路と、前記搬送経路に案内されたロール紙に印字を行う印字ヘッドと、前記印字ヘッドと対向して設けられるプラテンローラと、前記印字ヘッドで印字された前記ロール紙排出する排出口と、前記排出口に設けられた、前記ロール紙を切断する切断装置と、前記プラテンローラの周面の一部と所定の隙間を有して前記プラテンローラを配置する配置部と、前記配置部に設けられ、前記排出口又は前記収納部の少なくとも一方から前記配置部を介して前記配置部外へと送風するファンと、を備えることを特徴とするプリンタが提供される。
【００１３】
本発明の一態様として、ロール紙を収納保持する収納部と、前記収納部から引き出される前記ロール紙を案内する搬送経路と、前記搬送経路に案内されたロール紙に印字を行う印字ヘッドと、前記印字ヘッドと対向して設けられるプラテンローラと、前記印字ヘッドで印字された前記ロール紙排出する排出口と、前記排出口に設けられた、前記ロール紙を切断する切断装置と、前記プラテンローラの周面の一部と所定の隙間を有して前記プラテンローラを配置する配置部と、前記配置部に設けられ、前記配置部を介して前記排出口への送風、及び、前記排出口又は前記収納部の少なくとも一方から前記配置部を介して前記配置部外への送風の切換が可能なファンと、前記ロール紙が前記搬送経路を案内されているときに前記ファンに前記排出口又は前記収納部の少なくとも一方から前記配置部を介して前記配置部外へ送風させるとともに、前記切断装置により前記ロール紙を切断するときに前記ファンに前記配置部を介して前記排出口へ送風させるファン制御部と、を備えることを特徴とするプリンタが提供される。
【発明の効果】
【００１４】
本発明によれば、発生した紙粉がプラテンローラに付着することを減少させることが可能となる。これにより、プラテンローラの寿命及び印字精度を向上することが可能となり、プリンタの信頼性が向上する。
【図面の簡単な説明】
【００１５】
【図１】本発明の第１の実施の形態に係るプリンタを用いた商品販売データ処理装置の構成を示す説明図。
【図２】同プリンタの構成を模式的に示す断面図。
【図３】同プリンタの要部構成を模式的に示す説明図。
【発明を実施するための形態】
【００１６】
以下、本発明の一実施の形態に係るプリンタ１を、図１〜３を用いて説明する。  
図１は本発明の一実施の形態に係るプリンタ１が搭載された商品販売データ処理装置１００の構成を示す斜視図、図２は同プリンタ１の構成を模式的に示す断面図、図３は同プリンタ１の要部構成を模式的に示す説明図である。
【００１７】
プリンタ１は、図１に示すように、商品販売データ処理装置１００に設けられる。なお、商品販売データ処理装置１００は、例えば、筐体１０１と、この筐体１０１に接続された表示装置１０２と、を備えている。筐体１０１には、プリンタ１と、キーボード１０３と、カードリーダ１０４と、が搭載されている。
【００１８】
このような商品販売データ処理装置１００は、その内部に、制御装置としてＣＰＵ（Ｃｅｎｔｒａｌ  Ｐｒｏｃｅｓｓｉｎｇ  Ｕｎｉｔ）を搭載している。また、商品販売データ処理装置１００は、記憶部、通信インターフェイス、表示装置コントローラ、キーボードコントローラ、カードリーダコントローラ、及び、プリンタコントローラ等を備えており、これら構成品が、アドレスバスやデータバス等のバスラインを介してＣＰＵに接続される。
【００１９】
また、プリンタ１が用いられる商品販売データ処理装置１００は、ＰＯＳ（Point of sale）システム等に用いられるＰＯＳ端末や、ＥＣＲ（Electronic Cash Register）等の端末である。プリンタ１は、例えば、商品販売データ処理装置１００で処理を行った商品販売データが印字された所謂レシート等の発行を行うものである。なお、本実施の形態では、商品販売データ処理装置１００の詳細な説明は省略する。
【００２０】
図２に示すように、プリンタ１は、プリンタケース１１と、ロール紙１２の収納部１３と、搬送装置１４と、搬送経路１５と、印字装置１６と、切断装置１７と、送風装置１８と、を備えている。また、プリンタ１は、ロール紙１２を装着可能に形成されている。
【００２１】
プリンタケース１１は、下部ケース２１と、上部ケース２２と、これら下部ケース２１及び上部ケース２２を連結するヒンジ部２３と、を備えている。また、プリンタケース１１は、下部ケース２１及び上部ケース２２との当接部の一部に、ロール紙１２の排出口２４を備えている。
【００２２】
下部ケース２１は、例えば、商品販売データ処理装置１００上に搭載可能に形成されている。下部ケース２１は、排出口２４が設けられる部位に、切断されたロール紙１２及び切断時に発生する紙粉を受ける受け皿２５を備えている。この受け皿２５は、その上面が排出口２４よりも下方に形成されるよう、排出口２４よりも低位置に配置される。このため、受け皿２５は、その上面と、排出口２４とが、壁部２５ａを介して連続することとなる。
【００２３】
上部ケース２２は、ヒンジ部２３を支点に回動可能に形成されている。上部ケース２２は、回動することで、下部ケース２１の上部開口を開閉する。  
ロール紙１２は、感熱紙が巻回されて、形成されている。
【００２４】
収納部１３は、下部ケース２１内であって、後部側、即ち、排出口２４が設けられた側面とは相対する側面側に設けられる。収納部１３は、その上部が開口し、その開口からその内部にロール紙１２を収納可能な、ロール紙１２の周面に沿った壁部１３ａで形成されている。また、収納部１３は、壁部１３ａの一部に、ロール紙１２の回転を補助する搬送装置１４の一部を配置可能に形成されている。
【００２５】
搬送装置１４は、例えば、収納部１３に設けられた搬送ローラ２７と、収納部１３及び搬送経路１５の間に設けられた案内ローラ２８と、を備えている。搬送ローラ２７は、収納部１３の内部に複数、例えば２つ設けられ、ロール紙１２を２箇所で支持するとともに、回転可能に形成されている。これら搬送ローラ２７は、回転することで、ロール紙１２を図２に示す矢印Ｆ方向に回転させる。
【００２６】
案内ローラ２８は、収納部１３から一部が引き出されたロール紙１２を、一定の張力で搬送経路１５に案内可能なローラである。この案内ローラ２８は、例えば、ロール紙１２と一定の力で当接するとともに、ロール紙１２の搬送に伴って回転することで、ロール紙１２を案内可能に形成されている。
【００２７】
搬送経路１５は、下部ケース２１に設けられた下部案内部３１と、上部ケース２２に設けられた上部案内部３２と、を備えている。搬送経路１５は、これら下部案内部３１及び上部案内部３２により、引き出されたロール紙１２を、案内ローラ２８から切断装置１７まで案内可能に形成されている。なお、図２，３中では、搬送経路１５は、引き出されたロール紙１２と所定の隙間を有して離間している図を示しているが、実際の搬送経路１５は、ロール紙１２と、隙間を殆ど有さない。
【００２８】
下部案内部３１は、その一部に、後述する印字装置１６のプラテンローラ３５を配置させる配置部３３を有している。配置部３３は、その内面がプラテンローラ３５の外周面と、所定の隙間を有して形成されている。また、配置部３３は、その一部、例えば、下部に、開口部３４を有している。
【００２９】
上部案内部３２は、後述する印字装置１６の印字ヘッド３６を、その中途部に配置可能に、例えば、２つの部材に分割して形成されている。即ち、これら下部案内部３１及び上部案内部３２を有する搬送経路１５は、案内ローラ２８から切断装置１７までロール紙１２を案内する経路を形成するとともに、その中途部に印字装置１６を配置可能に形成されている。
【００３０】
印字装置１６は、引き出されたロール紙１２を狭持し、且つ、摺動可能に対向して配置された、プラテンローラ３５及び印字ヘッド３６を備えている。プラテンローラ３５は、下部ケース２１内であって、上述したように、配置部３３内に、その外周面と配置部３３内面とが所定の隙間を有して配置される。
【００３１】
印字ヘッド３６は、感熱紙であるロール紙１２に印字するサーマルヘッド（以下「サーマルヘッド３６」として説明）である。このサーマルヘッド３６は、プラテンローラ３５と対向して上部ケース２２に配置されている。このような印字装置１６は、引き出されたロール紙１２を、プラテンローラ３５及びサーマルヘッド３６で狭持し、且つ、摺動させるとともに、ロール紙１２に、商品販売データ等を印字する。
【００３２】
切断装置１７は、搬送経路１５及び排出口２４間に設けられ、排出口２４に搬送されたロール紙１２を、所定の長さに切断可能に形成されている。具体的に説明すると、切断装置１７は、下部ケース２１に回動（又は揺動）自在に固定された可動刃３８と、上部ケース２２に固定された固定刃３９と、を備えている。切断装置１７は、可動刃３８を固定刃３９側へと回動させ、これら可動刃３８及び固定刃３９によりロール紙１２を挟みこんでせん断させることで、ロール紙１２を切断可能に形成されている。なお、可動刃３８は、例えば、図示しない可動装置を有しており、この可動装置により可動刃３８をロール紙１２の切断時に可動する。
【００３３】
送風装置１８は、ファン４１と、タンク４２と、ファン制御部４３と、を備えている。ファン４１は、下部案内部３１の配置部３３に設けられた開口部３４に設けられている。このファン４１は、例えば、その回転方向を可変させることで、送風方向を可変可能に形成されている。また、ファン４１は、送風方向によって、その回転速度が異なる速度で送風可能に形成されている。
【００３４】
タンク４２は、ファン４１に設けられ、ファン４１よる送風を受け止めることで、ファン４１の送風により運ばれた紙粉を貯留（集塵）可能に形成されている。
【００３５】
ファン制御部４３は、ファン４１と、電気信号線Ｓ等で接続され、ファン４１の回転及び停止及びそのファン４１の回転方向を制御（可変）可能に形成されている。ファン制御部４３は、ファン４１の回転方向を可変することで、ファン４１に、吸込み動作及び吹出し動作を行わせる。また、ファン制御部４３は、吸込み動作時の回転速度より吹出し動作時の回転速度を速い速度となるように、ファン４１を回転させる。
【００３６】
なお、吸込み動作とは、ファン４１の配置部３３側から開口部３４を介してタンク４２側へと空気を吸い込むファン４１の動作である。吹出し動作とは、ファン４１の、タンク４２側から配置部３３へと空気を吹き出すファン４１の動作である。
【００３７】
なお、この送風装置１８の吸込み動作及び吹出し動作を行った場合の風の流れの一例を説明する。送風装置１８は、ファン制御部４３により、ファン４１を一方向に回転させることで、配置部３３内から風を吸い込み、収納部１３及び排出口２４の少なくとも一方から配置部３３を介してファン４１の外部、例えばタンク４２へと送風する。また、送風装置１８は、ファン制御部４３により、ファン４１を他方向に回転させることで、ファン４１から配置部３３内へ風を吹き出し、排出口２４へと送風する。
【００３８】
図３の矢印Ｊに示すように、送風装置１８は、ファン４１により、風が吸い込まれる場合に、可動刃３８から下部案内部３１及びロール紙１２間、及び、配置部３３及びプラテンローラ３５間を介して開口部３４へと風の流路を形成しながら、タンク４２へと送風する。また、送風装置１８は、収納部１３及びロール紙１２間（図２参照）から、下部案内部３１及びロール紙１２間、及び、配置部３３及びプラテンローラ３５間を介して開口部３４へと風の流路を形成しながら、タンク４２へと送風する。
【００３９】
このように、送風装置１８は、ファン４１の吸込み動作を行い、切断装置１７及びロール紙１２からタンク４２への風の流路を形成することで、切断装置１７及びロール紙１２で発生する紙粉を配置部３３側からタンク４２へと移動させることが可能となる。
【００４０】
また、図３の矢印Ｋに示すように、送風装置１８は、ファン４１から風が吹き出される場合に、特に、開口部３４から、配置部３３及びプラテンローラ３５間、及び、下部案内部３１及びロール紙１２間を介して、可動刃３８へと風の流路を形成する。また、図３には図示しないが、送風装置１８は、可動刃３８へ吹き出された風を、さらに排出口２４へと風の流路を形成し、排出口２４から送風した風を排気する。
【００４１】
このように送風装置１８は、ファン４１により吹出し動作を行い、配置部３３及びプラテンローラ３５間から下部案内部３１及びロール紙１２と切断装置１７とを介して排出口２４への風の流路を形成することで、切断装置１７で発生した紙粉を、排出口２４から排出することが可能となる。
【００４２】
また、送風装置１８は、ファン４１による吸込み動作及び吹出し動作を、プリンタ１の動作に応じて切換可能に形成されている。
【００４３】
具体的には、ファン制御部４３は、ロール紙１２が搬送されている際に、ファン４１を吸込み動作とし、切断装置１７及びロール紙１２で発生する紙粉をタンク４２へと吸込ませる機能を有する。
【００４４】
また、ファン制御部４３は、ロール紙１２が搬送及び印字され、切断装置１７により切断される際に、その切断時の前後の所定の時間、ファン４１を吹き出動作とし、切断装置１７で発生した紙粉を排出口２４から排出させる機能を有する。
【００４５】
具体的には、ファン制御部４３は、ロール紙１２の切断を行う切断装置１７の駆動前（可動刃３８の駆動前）にファン４１の送風を吸込み動作から吹出し動作へ切替を行う。なお、この切替において、ファン制御部４３は、ロール紙１２の切断の途中で、配置部３３を介して排出口２４へ送風し、排出口２４から排気（紙粉が排出）されるように、ファン４１を吹出し動作とする。また、ファン制御部４３は、ロール紙１２の切断時のファン４１の回転速度が、吸込み動作時のファン４１の回転速度よりも速くなるように、吹出し動作時のファン４１を回転させる。
【００４６】
このように構成されたプリンタ１は、印字装置１６により印字されたロール紙１２は、切断装置１７で切断されると、紙粉が発生する。プリンタ１は、印字のために搬送装置１４によりロール紙１２を引き出して搬送させる際に、ファン制御部４３によりファン４１を吸込み動作させ、ロール紙１２に付着した紙粉、及び、切断装置１７で発生し、切断装置１７又はその周囲構成に付着した紙粉のいずれかを、タンク４２に吸い込む。
【００４７】
また、引き出したロール紙１２に印字を行い、当該ロール紙１２を切断して排出口２４からレシートとして排出する際に、ファン制御部４３により、ファン４１を吹出し動作させる。この吹出し動作により、切断装置１７によるロール紙１２の切断により発生する紙粉をプラテンローラ３５側に移動しないよう、切断前から排出口２４から排気する。
【００４８】
また、受け皿２５は、その上面を、排出口２４よりも低位置とし、さらに、受け皿２５の上面と排出口２４とを壁部２５ａを介して連続させる構成とすることで、受け皿２５上に排出（集塵）された紙粉は、排出口２４から浸入することを極力防止可能となる。
【００４９】
即ち、プリンタ１は、その構成や使用環境及び状況等の要因により、排出口２４からプリンタケース１１内に向って風の流れが発生する虞がある。しかし受け皿２５の上面は、排出口２４よりも下方にあり、さらに、その上面から水平方向には、壁部２５ａが設けられているため、排出口２４側からプリンタケース１１内に向って風の流れが発生し、受け皿２５上の紙粉が移動しても、壁部２５ａは、その紙粉の移動を遮る。
【００５０】
このように構成されたプリンタ１によれば、ファン４１の吸込み動作及び吹出し動作をしにより、紙粉を排出口から排出、又は、タンク４２に貯留（集塵）することが可能になる。これにより、プラテンローラ３５に紙粉が付着することを低減させることが可能となる。
【００５１】
また、受け皿２５は、受け皿２５上の紙粉が移動しても、壁部２５ａによりその移動を遮る構成とすることで、受け皿２５上の紙粉がプリンタケース１１内に浸入することを防止可能となる。これにより、プラテンローラ３５に付着する紙粉をより低減することが可能となる。
【００５２】
なお、紙粉がプラテンローラ３５に付着すると、例えば、プラテンローラ３５の表面の形状や状態が変化し、プラテンローラ３５が劣化する。プラテンローラ３５は、劣化によりその表面を搬送するロール紙との摩擦抵抗が変化するため、プラテンローラ３５上で搬送されたロール紙１２のすべりが発生する。すべりが発生すると、印字位置がずれ、印字装置１６による印字精度が低下する、という問題がある。しかし、本実施の形態に係るプリンタ１は、発生した紙粉をファン４１により吹き飛ばす、又は吸い込むことで、プラテンローラ３５への付着を低減することが可能となる。これにより、プリンタ１は、プラテンローラ３５の寿命及び印字精度を向上することが可能となる。プラテンローラ３５の寿命及び印字精度が向上することで、プリンタ１の信頼性が向上する。
【００５３】
上述したように本実施の形態に係るプリンタ１によれば、ファン４１により発生した紙粉を排出又は集塵することで、プラテンローラ３５への紙粉の付着を極力防止することが可能となる。
【００５４】
なお、本発明は前記実施の形態に限定されるものではない。上述した例では、プリンタ１は、ＰＯＳ端末や、ＥＣＲ等に用いられる商品販売データ処理装置１００に搭載され、レシートの発行を行うと説明したが、これに限定されない。たとえば、商品販売データ処理装置には搭載されずに、商品販売データ処理装置に通信Ｉ／Ｆや無線通信を介して接続される外付けのプリンタであってもよい。また、プリンタ１は、商品販売データを印字したレシートではなく、他の情報を印字する構成であってもよい。
【００５５】
また、上述した送風装置１８は、タンク４２を有する構成としたが、これに限定されない。例えば、タンク４２を有さず、下部ケース２１内に、紙粉を直接集塵可能な構成としてもよい。
【００５６】
また、上述した送風装置１８は、ロール紙１２の搬送時に吸込み動作を行い、ロール紙１２の切断時に吹出し動作を行う構成としたが、これに限定されない。プリンタ１の各構成によっては、送風装置１８は、吸込み動作のみを行う構成であっても、吹出し動作を行う構成であってもよい。また、送風装置１８は、ロール紙１２の搬送や切断時に、他の動作を行ってもよい。
【００５７】
また、ファン４１は、ファン制御部４３により、吸込み動作時の回転速度より吹出し動作時の回転速度が速いとしたが、吸込み動作時及び吹出し動作時の回転速度の遅速だけでなく、さらにファン４１の回転数を可変可能としてもよい。例えば、ロール紙１２切断の時点でのファン４１の回転速度が、通常の吸込み動作時のファン４１の回転速度よりも速くなるように、ファン制御部４３がファン４１の回転数を可変可能としてもよい。
【００５８】
即ち、送風装置１８は、プラテンローラ３５に紙粉が付着することを防止可能であればよい。このため、効率のよい紙粉の排出及び吸込みが可能であれば、切断装置１７の状態や、風の流れの状態に応じて、吸込み動作及び吹出し動作時のファン４１の回転速度の遅速の差だけでなく、回転数の可変等を行ってもよい。この他、本発明の要旨を逸脱しない範囲で種々変形実施可能である。
【符号の説明】
【００５９】
１…プリンタ、１１…プリンタケース、１２…ロール紙、１３…収納部、１３ａ…壁部、１４…搬送装置、１５…搬送経路、１６…印字装置、１７…切断装置、１８…送風装置、２１…下部ケース、２２…上部ケース、２３…ヒンジ部、２４…排出口、２５…受け皿、２５ａ…壁部、２７…搬送ローラ、２８…案内ローラ、３１…下部案内部、３２…上部案内部、３３…配置部、３４…開口部、３５…プラテンローラ、３６…サーマルヘッド、３８…可動刃、３９…固定刃、４１…ファン、４２…タンク、４３…ファン制御部、１００…商品販売データ処理装置、１０１…筐体、１０２…表示装置、１０３…キーボード、１０４…カードリーダ、Ｊ…風の流れ、Ｋ…風の流れ、Ｓ…電気信号線。
【先行技術文献】
【特許文献】
【００６０】
【特許文献１】特開２００２−１２７５１６号公報
【図１】
2011183625.tif 000003
【図２】
2011183625.tif 000004
【図３】
2011183625.tif 000005